【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
移動端末であって、
ディジタル画像を取り込むように構成されたカメラ機器と、
無線インタフェースを介して通信する送受信機と、前記ディジタル画像の中の文字を認識する文字認識アプリケーションと、ブラウザ、メッセージング、及びカメラ電話アプリケーションを含む更なるアプリケーションの集合を提供するように構成されたコントローラと、を備え、
前記コントローラは、さらに
前記移動端末のユーザによる、前記集合内の前記更なるアプリケーションの１つの開始に基づいて、一時的に取り込まれたディジタル画像を取り込むように前記カメラ機器に命令し、
前記文字認識アプリケーションを使用して、前記開始されたアプリケーションを示す文字について前記取り込まれたディジタル画像の中で文字認識を実行し、
前記認識された文字に基づき、前記開始されたアプリケーションで使用される識別子を生成し、
前記開始されたアプリケーションにおいて、前記開始されたアプリケーションを介して通信をする場合に、前記生成された識別子を使用するように構成されたことを特徴とする移動端末。
【請求項２】
前記コントローラは、前記画像データ上で光学文字認識処理を実行することによって前記文字を認識するように構成されたことを特徴とする請求項１に記載の移動端末。
【請求項３】
前記コントローラは、一つ以上の前記認識された文字がインターネットアドレスを示していると判定するように構成されたことを特徴とする請求項１に記載の移動端末。
【請求項４】
前記コントローラは、前記認識された文字に基づいてインターネットアドレスを生成するように構成されたことを特徴とする請求項３に記載の移動端末。
【請求項５】
無線インターフェースを介して通信するように構成された無線送受信機をさらに備え、
前記コントローラは、前記生成されたインターネットアドレスに基づいて前記無線送受信機を通じてインターネットサイトとの接続を開始するように構成されたことを特徴とする請求項４に記載の移動端末。
【請求項６】
インターネットブラウザをさらに備え、
前記コントローラは、一つ以上の前記認識された文字がインターネットアドレスを示しているという判定に基づいて前記インターネットブラウザを起動するように構成されたことを特徴とする請求項３に記載の移動端末。
【請求項７】
前記コントローラは、一つ以上の前記認識された文字がメッセージアドレスを示していると判定するように構成されたことを特徴とする請求項１に記載の移動端末。
【請求項８】
前記コントローラは、前記認識された文字に基づいてメッセージアドレスを生成するように構成されたことを特徴とする請求項７に記載の移動端末。
【請求項９】
前記コントローラは、前記生成されたメッセージアドレスに基づいて前記移動端末から通信されることとなるメッセージを生成するように構成されたことを特徴とする請求項７に記載の移動端末。
【請求項１０】
前記生成されたメッセージは、電子メールのメッセージ、ショートメッセージサービスのメッセージ、高度メッセージサービスのメッセージ、およびマルチメディアメッセージサービスのメッセージのうち少なくとも何れかを備えることを特徴とする請求項９に記載の移動端末。
【請求項１１】
前記コントローラは、複数の前記認識された文字が前記画像データの中で電話番号を示すことを判定するように構成され、前記認識された文字に基づいて電話番号を生成するように構成され、前記生成された電話番号に基づいて電話の発呼を生成するように構成されたことを特徴とする請求項１に記載の移動端末。
【請求項１２】
連絡先情報データベースをさらに備え、
前記コントローラは、一つ以上の前記認識された文字が、前記画像データの中で連絡先情報を示すことを判定するように構成され、前記認識された文字に基づいて連絡先情報を生成するように構成され、前記生成された連絡先情報を前記連絡先情報データベースに追加するように構成されたことを特徴とする請求項１に記載の移動端末。
【請求項１３】
移動端末からの通信のための情報を生成する方法であって、
前記移動端末のユーザによる、ブラウザ、メッセージング、及びカメラ電話アプリケーションを備えるアプリケーションの集合の中のアプリケーションの開始に基づいて、一時的に取り込まれたディジタル画像を取り込む工程と、
前記開始されたアプリケーションを示す文字に関し前記取り込まれた画像の中の文字を認識する工程と、
前記認識された文字に基づいて、前記開始されたアプリケーションで使用される識別子を生成する工程と、
前記開始されたアプリケーションにおいて、前記開始されたアプリケーションを介して通信をする場合に、前記生成された識別子を使用する工程と、
を備えることを特徴とする方法。
【請求項１４】
前記画像データの中の文字を認識する工程は、前記画像データ上で光学文字認識処理を実行する工程を備えることを特徴とする請求項１３に記載の方法。
【請求項１５】
前記画像データの中の文字を認識する工程は、一つ以上の前記認識された文字がインターネットアドレスを示していると判定する工程を備えることを特徴とする請求項１３に記載の方法。
【請求項１６】
前記情報を生成する工程は、前記認識された文字に基づいてインターネットアドレスを生成する工程を備えることを特徴とする請求項１５に記載の方法。
【請求項１７】
前記生成されたインターネットアドレスに基づいてインターネットサイトとの接続を開始する工程をさらに備えることを特徴とする請求項１６に記載の方法。
【請求項１８】
一つ以上の前記認識された文字がインターネットアドレスを示しているという判定に基づいてインターネットブラウザを起動する工程をさらに備えることを特徴とする請求項１５に記載の方法。
【請求項１９】
前記画像データの中の文字を認識する工程は、一つ以上の前記認識された文字がメッセージアドレスを示していると判定する工程を備えることを特徴とする請求項１３に記載の方法。
【請求項２０】
前記情報を生成する工程は、前記認識された文字に基づいてメッセージアドレスを生成する工程を備えることを特徴とする請求項１９に記載の方法。
【請求項２１】
前記生成されたメッセージアドレスに基づいて、前記移動端末から通信されることになる、電子メールのメッセージ、ショートメッセージサービスのメッセージ、高度メッセージサービスのメッセージ、およびマルチメディアメッセージサービスのメッセージのうち少なくとも何れかを生成する工程をさらに備えることを特徴とする請求項２０に記載の方法。
【請求項２２】
前記画像データの中の文字を認識する工程は、
複数の前記認識された文字が前記画像データの中で電話番号を示していると判定する工程と、
前記認識された文字に基づいて電話番号を生成する工程と、
前記生成された電話番号に基づいて電話の発呼を生成する工程と、
を備えることを特徴とする請求項１３に記載の方法。
【請求項２３】
前記画像データの中の文字を認識する工程は、
一つ以上の前記認識された文字が前記画像データの中で連絡先情報を示していると判定する工程と、
前記認識された文字に基づいて連絡先情報を生成する工程と、
前記生成された連絡先情報を前記連絡先情報データベースに追加する工程と、
を備えることを特徴とする請求項１３に記載の方法。
【請求項２４】
前記画像データの中の文字を認識する工程は、前記認識された文字が所在地住所を示していると判定する工程を備え、
さらに、前記認識された文字に基づいて所在地住所情報を生成する工程と、
ＧＰＳ信号に基づいて前記移動端末の位置を判定する工程と、
前記生成された所在地住所情報及び前記判定された前記移動端末の位置に基づいてナビゲーションする工程と、を備えることを特徴とする請求項１３に記載の方法。
【請求項２５】
電話番号のダイヤリングに関連したキー、インターネットブラウザの開始に関連したキー、ナビゲーションアプリケーションの開始に関連したキー、及びメッセージングの開始に関連したキーのうちの少なくとも１のユーザの選択に基づく前記画像データを取り込む工程をさらに備えることを特徴とする請求項１３に記載の方法。
【請求項２６】
移動端末からの通信用の情報を生成するためのコンピュータプログラムであって、
前記コンピュータプログラムは、コンピュータで読み取り可能な記録媒体に記録されたコンピュータプログラムコードを備え、
前記コンピュータプログラムコードは、
前記移動端末のユーザによる、ブラウザ、メッセージング、及びカメラ電話アプリケーションを備えるアプリケーションの集合の中のアプリケーションの開始に基づいて、一時的に取り込まれたディジタル画像を取り込むように命令し、
前記開始されたアプリケーションを示す文字について前記取り込まれたディジタル画像の中で文字認識を実行し、
前記認識された文字に基づき、前記開始されたアプリケーションで使用される識別子を生成し、
前記開始されたアプリケーションにおいて、前記開始されたアプリケーションを介して通信をする場合に、前記生成された識別子を使用する
ように構成されたことを特徴とするコンピュータプログラム。
【請求項２７】
一つ以上の前記認識された文字が、インターネットアドレス、メッセージアドレス、所在地住所、および電話番号のうちの少なくとも何れかを示すと判定するように構成されたプログラムコードをさらに備えることを特徴とする請求項２６に記載のコンピュータプログラム。
【手続補正２】
【補正対象書類名】明細書
【補正対象項目名】発明の名称
【補正方法】変更
【補正の内容】
【発明の名称】画像データの中で認識された文字に基づいて通信情報を生成する移動端末、方法、およびプログラム